(57)【要約】 【課題】表示部に表示中の画像と関連付けられた一または複数の画像の表示態様を示す情報等を表示部に表示してユーザーに提示することができる表示装置、表示方法及び表示処理プログラムを提供することを課題とする。【解決手段】複数の画像のそれぞれに予め付与された当該各画像の関連付けを示す識別情報であって、表示手段に表示する画像に付与された前記識別情報を取得する識別情報取得手段と、前記表示する画像に関連する一又は複数の他の画像の表示態様を示すマークであって、取得された前記識別情報に対応付けられた前記表示態様を示す表示態様情報に基づいて生成された前記マークを示すマーク画像データを記憶するマーク画像データ記憶手段と、記憶された前記マーク画像データに基づくマークを、前記表示する画像と共に前記表示手段に表示する表示制御手段と、を有することを特徴とする。【選択図】図２
2010182256.tif 000002
【特許請求の範囲】
【請求項１】
複数の画像のそれぞれに予め付与された当該各画像の関連付けを示す識別情報であって、
表示手段に表示する画像に付与された前記識別情報を取得する識別情報取得手段と、
前記表示する画像に関連する一又は複数の他の画像の表示態様を示すマークであって、取得された前記識別情報に対応付けられた前記表示態様を示す表示態様情報に基づいて生成された前記マークを示すマーク画像データを記憶するマーク画像データ記憶手段と、
記憶された前記マーク画像データに基づくマークを、前記表示する画像と共に前記表示手段に表示する表示制御手段と、
を有することを特徴とする表示装置。
【請求項２】
請求項１に記載の表示装置において、
前記マーク画像データ記憶手段は、前記各画像の識別情報と、前記各画像の表示態様を示す表示態様情報と、を対応付けて記憶する表示態様情報記憶手段を参照して、前記識別情報取得手段によって取得された識別情報に対応付けられた前記表示態様情報に基づいて前記マークを生成し、当該マークを示すマーク画像データを記憶することを特徴とする表示装置。
【請求項３】
請求項１又は請求項２に記載の表示装置において、
前記マーク画像データ記憶手段は、前記表示する画像の表示態様を示す表示態様情報と、前記表示する画像に関連する一又は複数の他の画像の表示態様を示す表示態様情報と、に基づいて生成された前記マークを示すマーク画像データを記憶することを特徴とする表示装置。
【請求項４】
請求項１乃至請求項３のいずれか一項に記載の表示装置において、
前記表示する画像の選択指示を受け付ける指示受け付け手段を有し、
前記表示制御手段は、前記選択指示された表示する画像を前記複数の画像が記憶された記憶手段から読み出して前記表示手段に表示し、かつ、当該表示する画像を前記表示手段に表示する同一タイミングで前記マークを前記表示手段に表示することを特徴とする表示装置。
【請求項５】
請求項１乃至請求項４のいずれか一項に記載の表示装置において、
前記表示手段は、それぞれ独立に制御できる複数の分割表示モニタからなり、
前記表示制御手段は、前記複数の分割表示モニタのうち、前記マークを表示することができる最小の数の前記分割表示モニタに当該マークを表示することを特徴とする表示装置。
【請求項６】
請求項１乃至請求項５のいずれか一項に記載の表示装置において、
前記表示制御手段は、前記マークを前記表示する画像と共に所定時間表示後、前記マークの表示を終了するタイマー手段を有することを特徴とする表示装置。
【請求項７】
請求項１乃至請求項６のいずれか一項に記載の表示装置において、
一の画像から、当該一の画像に付与された識別情報と関連付けがされていない識別情報が付与された他の画像に表示を切り替える際に、前記表示手段に表示中の前記一の画像の表示態様情報を一時記憶する一時記憶手段を有し、
前記表示制御手段は、前記一時記憶手段に記憶された前記表示態様情報に基づいて、前記記憶手段から前記他の画像を読み出して前記表示手段に表示させることを特徴とする表示装置。
【請求項８】
複数の画像のそれぞれに予め付与された当該各画像の関連付けを示す識別情報であって、表示手段に表示する画像に付与された前記識別情報を取得する工程と、
前記表示する画像に関連する一又は複数の他の画像の表示態様を示すマークであって、取得された前記識別情報に対応付けられた前記表示態様を示す表示態様情報に基づいて生成された前記マークを示すマーク画像データを記憶する工程と、
記憶された前記マーク画像データに基づくマークを、前記表示する画像と共に前記表示手段に表示する工程と、
を有することを特徴とする表示方法。
【請求項９】
コンピュータを、請求項１乃至請求項７の何れか一項に記載の表示装置として機能させることを特徴とする表示処理プログラム。
【発明の詳細な説明】
【技術分野】
【０００１】
本発明は、表示倍率に応じた画像を表示するための表示装置、表示方法及び表示処理プログラムに関するものである。
【背景技術】
【０００２】
従来、表示されている画像を拡大・縮小表示する方法として、それぞれ倍率の異なる拡大画像及び縮小画像を予め画像表示装置内の記憶部に記憶させておき、拡大指示又は縮小指示があった場合に、記憶部に記憶している画像の中から指示された倍率に相当する拡大画像又は縮小画像を取得して表示部に表示させるという方法等が知られている。
【０００３】
例えば、特許文献１では、複数の表示倍率に対応する各画像情報を予め表示画像格納部に記憶しておき、ユーザーにより表示倍率の変更が指示されたときには、ユーザーにより選択された表示倍率に対応する画像情報を表示画像格納部から読み出して表示部に表示させることにより、表示倍率変更処理を高速化する画像表示装置が開示されている。
【先行技術文献】
【特許文献】
【０００４】
【特許文献１】特開２００７−２１３０４６号公報
【発明の概要】
【発明が解決しようとする課題】
【０００５】
上述した画像表示装置のように、表示画像格納部に全ての表示倍率（表示倍率１、表示倍率２、表示倍率３・・・等）の画像が用意されている場合には、ユーザーにより何れの表示倍率が選択されても、選択された表示倍率の画像を表示部に表示させることができるが、全ての画像について全ての倍率の画像が用意されていない場合については、何らの考慮もされていない。
【０００６】
しかも、全ての画像について全ての倍率の画像が用意されていない場合には、ユーザーは、表示部に表示中の画像の表示倍率を変更したい場合に、表示中の画像に対して他にどのような倍率の拡大画像及び縮小画像が用意されているのかわからない。そのため、ユーザーが用意されていない倍率を表示画像として選択しても、選択された倍率の画像が用意されておらず、表示することができないという問題があった。
【０００７】
本発明は、上述したような課題に鑑みてなされたものであり、表示部に表示中の画像に関連付けられた一又は複数の他の画像の表示態様を示す情報等を表示部に表示してユーザーに提示することができる表示装置、表示方法及び表示処理プログラムを提供することを課題とする。
【課題を解決するための手段】
【０００８】
上記課題を解決するために、請求項１に記載の発明は、複数の画像のそれぞれに予め付与された当該各画像の関連付けを示す識別情報（関連する画像は同一ＩＤが付与されているなど）であって、表示手段に表示する画像に付与された前記識別情報を取得する識別情報取得手段と、前記表示する画像に関連する一又は複数の他の画像の表示態様を示すマーク（アイコン等）であって、取得された前記識別情報に対応付けられた前記表示態様を示す表示態様情報に基づいて生成された前記マークを示すマーク画像データを記憶するマーク画像データ記憶手段（ＲＡＭのビデオメモリ等）と、記憶された前記マーク画像データに基づくマークを、前記表示する画像と共に前記表示手段に表示する表示制御手段と、を有することを特徴とする表示装置である。
【０００９】
この発明によれば、表示中の画像又は表示しようとする画像などの表示する画像の識別ＩＤ等の識別情報に対応する他の画像の表示態様情報に基づいて生成されたアイコンを表示する画像と共に表示するので、ユーザーに対して、表示手段に表示可能な関連する他の画像の表示態様情報を提示することができ、ユーザーが表示手段に表示中の画像に関連する一又は複数の他の画像の表示態様を容易に把握することができる。
【００１０】
上記課題を解決するために、請求項２に記載の発明は、請求項１に記載の表示装置において、前記マーク画像データ記憶手段は、前記各画像の識別情報と、前記各画像の表示態様を示す表示態様情報と、を対応付けて記憶する表示態様情報記憶手段（ＲＡＭ等）を参照して、前記識別情報取得手段によって取得された識別情報に対応付けられた前記表示態様情報に基づいて前記マークを生成し、当該マークを示すマーク画像データを記憶することを特徴とする表示装置である。
【００１１】
この発明によれば、表示態様情報記憶手段から表示する画像の識別情報に対応する表示態様情報を容易に取得することができる。
【００１２】
上記課題を解決するために、請求項３に記載の発明は、請求項１又は請求項２に記載の表示装置において、前記マーク画像データ記憶手段は、前記表示する画像の表示態様を示す表示態様情報と、前記表示する画像に関連する一又は複数の他の画像の表示態様を示す表示態様情報と、に基づいて生成された前記マークを示すマーク画像データを記憶することを特徴とする表示装置である。
【００１３】
この発明によれば、表示すべき画像の表示態様情報も併せて取得してマークを生成して表示するので、他の画像の表示態様の表示中の画像の表示態様との関連性をよりわかりやすくユーザーに提示することができる。
【００１４】
上記課題を解決するために、請求項４に記載の発明は、請求項１乃至請求項３のいずれか一項に記載の表示装置において、前記表示する画像の選択指示を受け付ける指示受け付け手段を有し、前記表示制御手段は、前記選択指示された表示する画像を前記複数の画像が記憶された記憶手段（ＲＡＭ、メモリカード等）から読み出して前記表示手段に表示し、かつ、当該表示する画像を前記表示手段に表示する同一タイミングで前記マークを前記表示手段に表示することを特徴とする表示装置である。
【００１５】
この発明によれば、表示画像の書き換えと同一タイミングにてマークを表示するため、表示部１０６の表示制御に要する電力（消費電力）を最小限に抑制することができる。
【００１６】
上記課題を解決するために、請求項５に記載の発明は、請求項１乃至請求項４のいずれか一項に記載の表示装置において、前記表示手段は、それぞれ独立に制御できる複数の分割表示モニタからなり、前記表示制御手段は、前記複数の分割表示モニタのうち、前記マークを表示することができる最小の数の前記分割表示モニタに当該マークを表示することを特徴とする表示装置である。
【００１７】
この発明によれば、アイコンの表示制御を行う場合の消費電力を抑制することができる。
【００１８】
上記課題を解決するために、請求項６に記載の発明は、請求項１乃至請求項５のいずれか一項に記載の表示装置において、前記表示制御手段は、前記マークを前記表示する画像と共に所定時間表示後、前記マークの表示を終了するタイマー手段を有することを特徴とする表示装置である。
【００１９】
この発明によれば、画像の閲覧を邪魔することなくマークを表示することができる。
【００２０】
上記課題を解決するために、請求項７に記載の発明は、請求項１乃至請求項６のいずれか一項に記載の表示装置において、一の画像から、当該一の画像に付与された識別情報と関連付けがされていない識別情報が付与された他の画像に表示を切り替える際に、前記表示手段に表示中の前記一の画像の表示態様情報を一時記憶する一時記憶手段を有し、前記表示制御手段は、前記一時記憶手段に記憶された前記表示態様情報に基づいて、前記記憶手段から前記他の画像を読み出して前記表示手段に表示させることを特徴とする表示装置である。
【００２１】
この発明によれば、一の画像から他の画像に表示を切り換える際に、一の画像の表示画像態様情報に基づいて、他の画像を表示させることができるので、例えば、現在表示ページから次ページへ表示を切り換える際に、同一の表示倍率で次ページを表示することができる。
【００２２】
上記課題を解決するために、請求項８に記載の発明は、複数の画像のそれぞれに予め付与された当該各画像の関連付けを示す識別情報（関連する画像は同一ＩＤなど）であって、表示手段に表示する画像に付与された前記識別情報を取得する工程と、前記表示する画像に関連する一又は複数の他の画像の表示態様を示すマーク（アイコン等）であって、取得された前記識別情報に対応付けられた前記表示態様を示す表示態様情報に基づいて生成された前記マークを示すマーク画像データを記憶する工程と、記憶された前記マーク画像データに基づくマークを、前記表示する画像と共に前記表示手段に表示する工程と、を有することを特徴とする表示方法である。
【００２３】
上記課題を解決するために、請求項９に記載の発明は、コンピュータを、請求項１乃至７の何れか一項に記載の表示装置として機能させることを特徴とする表示処理プログラムである。
【発明の効果】
【００２４】
本発明によれば、表示中の画像又は表示しようとする画像などの表示する画像の識別ＩＤ等の識別情報に対応する他の画像の表示態様情報に基づいて生成されたマークを、表示する画像と共に表示するので、ユーザーに対して、表示手段に表示可能な関連する他の画像の表示態様情報を提示することができ、ユーザーが表示手段に表示中の画像に関連する一又は複数の他の画像の表示態様を容易に把握することができる。
【図面の簡単な説明】
【００２５】
【図１】本実施形態に係る携帯型表示装置１の概要構成例を示すブロック図である。
【図２】本実施形態に係る携帯型表示装置１の正面図である。
【図３】アイコンの他の例である。
【図４】携帯型表示装置１のＣＰＵ１０１において実行される処理の動作を示すフローチャートである。
【図５】携帯型表示装置１のＣＰＵ１０１において実行される処理の動作を示すフローチャートである。
【図６】表示部１０６を分割表示モニタ１０６ａ、１０６ｂ、１０６ｃ、・・・１０６ｉにて構成した場合の説明図である。
【発明を実施するための形態】
【００２６】
以下、本発明の実施の形態を図面を参照して説明する。
【００２７】
なお、本発明は、表示部に表示すべき画像と予め関連付けられた画像の表示態様を示すマークを、表示すべき画像と共に表示する技術に関するものであり、以下に説明する実施の形態は、携帯型表示装置１に本発明を適用した場合の実施形態である。
【００２８】
始めに、図１等を参照して、本実施形態に係る携帯型表示装置１の構成及び動作概要について説明する。
【００２９】
図１は、本実施形態に係る携帯型表示装置１の概要構成例を示すブロック図であり、図２は、本実施形態に係る携帯型表示装置１の正面図である。
【００３０】
図１に示すように、携帯型表示装置１は、携帯型表示装置１全体を統括制御するＣＰＵ（Central Processing Unit）１０１と、ファームウエア等を記憶するＲＯＭ（Read Only Memory）１０２と、各種制御プログラムやユーザ設定等のデータを記憶するフラッシュＲＯＭ１０３と、ＣＰＵ１０１の制御処理に必要なデータを一時的に記憶するＲＡＭ（Random Access Memory）１０４と、決定キー１０５ａ、拡大キー１０５ｂ、縮小キー１０５ｃ、電源キー１０５ｆ等から構成され、指示受け付け手段としてユーザーからの指示を指示情報としてＣＰＵ１０１に供給する操作キー１０５と、例えば、電気泳動表示パネルや液晶表示パネル等により構成され、文書画像等により構成されるコンテンツを画面に表示する表示部１０６と、ＣＰＵ１０１からの指示に基づき表示部１０６による表示を制御する表示コントローラ１０７と、を備えている。
【００３１】
また、携帯型表示装置１は、例えばリチウムイオン電池等から構成されるバッテリー１０８と、バッテリー１０８に対する充電や放電を制御する充放電コントローラ１０９と、メモリカードドライブ等により構成され、ＣＰＵ１０１からの指示に基づきメモリカードドライブに挿入されたメモリカードＭＣに対してデータの書き込み及び読み出しを行うメモリカードＩ／Ｆ（インターフェース）１１０と、携帯型表示装置１とパーソナルコンピュータ等の外部装置とを有線または無線により接続してデータを送受信するためのインターフェース処理を行う通信Ｉ／Ｆ（インターフェース）１１１と、を備えている。そして、ＣＰＵ１０１と、ＲＯＭ１０２、フラッシュＲＯＭ１０３、ＲＡＭ１０４、操作キー１０５、表示コントローラ１０７、充放電コントローラ１０９、メモリカードＩ／Ｆ１１０及び通信Ｉ／Ｆ１１１とは、バス１１２を介して相互に接続されている。
【００３２】
メモリカードＭＣは、記憶手段の一例であって、文書データに基づく文書画像等の複数の画像が記憶されており、メモリカードＩ／Ｆ１１０が当該メモリカードＭＣから所望の画像情報を読み出して装置正面に設けた表示部１０６に表示するようになっている。
【００３３】
メモリカードＭＣには、例えば、文書画像の内容が同一であって、表示部１０６に表示する際の表示倍率（表示態様の一例）のみが異なる一又は複数の文書画像の画像情報が記憶されている。このように、表示倍率のみが異なる一又は複数の文書画像は互いに予め関連付けられた識別ＩＤ（識別情報の一例）（例えば同一の識別ＩＤ）が付与されており、画像情報は、実際に表示部１０６に表示する文書画像を構成する画像データのほか、付加情報として上記識別ＩＤ及び当該文書画像の表示倍率を示す表示倍率データを含んで構成されている。
【００３４】
表１にメモリカードＭＣに記憶された画像情報の一例を示す。
【００３５】
表１に示す例では、メモリカードＭＣは、識別ＩＤ１、識別ＩＤ２、識別ＩＤ３が付与された文書画像を記憶しており、識別ＩＤ１の文書画像として、表示倍率が０．７倍、１．０倍、１．４倍、２．０倍である４つの文書画像の画像情報を記憶し、識別ＩＤ２の文書画像として、表示倍率が１．０倍、１．４倍である２つの文書画像の画像情報を記憶し、識別ＩＤ３の文書画像として、表示倍率が０．７倍、１．０倍である２つの文書画像の画像情報を記憶している。
【００３６】
【表１】
2010182256.tif 000003
ＲＡＭ１０４は、表示態様情報記憶手段として機能し、各文書画像の識別ＩＤと各文書画像の表示態様を示す表示態様情報を対応付けた表示態様情報テーブルを記憶している。
【００３７】
表示態様情報は、例えば、文書画像の表示倍率を示す表示倍率データであって、メモリカードドライブのカードスロットにメモリカードＭＣが挿入されたときに、メモリカードＩ／Ｆ１１０がメモリカードＭＣに記憶された画像情報の付加情報（識別ＩＤ及び表示倍率データ）を読み出して、ＣＰＵ１０１が表示態様情報テーブルを作成してＲＡＭ１０４に記憶させる。
【００３８】
表２にＲＡＭ１０４に記憶された表示態様情報テーブルの一例を示す。なお、表２は、表１に示すメモリカードＭＣの画像情報に基づいて作成された表示態様情報テーブルの一例である。
【００３９】
表２に示す表示態様情報テーブルは、識別ＩＤ１に対応付けて表示倍率が０．７倍と１．０倍と１．４倍と２．０倍の表示倍率データが記憶されており、識別ＩＤ２に対応付けて表示倍率が１．０倍と１．４倍の表示倍率データが記憶されており、識別ＩＤ３に対応付けて表示倍率が０．７倍と１．０倍の表示倍率データが記憶されている。
【００４０】
【表２】
2010182256.tif 000004
操作キー１０５は、指示受け付け手段として機能し、決定キー１０５ａ、拡大キー１０５ｂ、縮小キー１０５ｃ、右キー１０５ｄ、左キー１０５ｅ、及び携帯型表示装置１の電源の入り切りを指示するための電源キー１０５ｆを備え、例えば、拡大キー１０５ｂ、縮小キー１０５ｃをユーザーが押下して操作することによって、表示する文書画像の表示倍率を選択して、決定キー１０５ａにより表示中の文書画像の表示倍率を決定するよう構成されている。
【００４１】
また、右キー１０５ｄ、左キー１０５ｅは、ユーザーが押下して操作することによって、表示部１０６に表示されたメニュー画面等において各種コンテンツを選択して、決定キー１０５ａにより表示するコンテンツや文書画像を決定したり、表示されているコンテンツのページめくりを行なうためのキーとして構成されている。
【００４２】
これらの操作キー１０５からの指示に基づいて、ＣＰＵ１０１が、各種設定の指示を行なったり、メモリカードＩ／Ｆ１１０と共にメモリカードＭＣに記憶されている画像情報を読み出して表示部１０６に表示したりする。
【００４３】
また、ＣＰＵ１０１は、ＲＡＭ１０４と共にマーク画像データ記憶手段として機能し、ユーザーが操作キー１０５を操作してメモリカードＭＣに記憶されている画像情報から表示を所望する画像情報を選択し、表示部１０６への表示指示が行なわれると、ＣＰＵ１０１は、ＲＡＭ１０４の表示態様情報テーブルを参照して、表示する文書画像の表示倍率データと、当該表示する文書画像と関連する文書画像の表示倍率データを取得して表示態様を示すマークを生成し、ＲＡＭ１０４の一部に設けられるビデオメモリ上にグラフィックデータ（マーク画像データの一例）として記憶する。
【００４４】
そして、ＣＰＵ１０１は、表示制御手段として機能し、表示部１０６に文書画像を表示する際に、ビデオメモリからグラフィックデータを取得して、当該グラフィックデータに基づくマークを文書画像と共に表示する。
【００４５】
このマークは、表示部１０６に表示可能である（言い換えれば、メモリカードＭＣに記憶されている）表示中の文書画像と関連する文書画像の表示態様をユーザーに提示するためものであり、表示態様を表現したアイコン等である。
【００４６】
図２は、識別ＩＤ１の倍率（１．０）の文書画像が表示画像として選択され、当該識別ＩＤ１の倍率（１．０）の文書画像が表示部１０６に表示された場合の例である。具体的には、識別ＩＤ１の倍率（１．０）の文書画像の画像情報がメモリカードＭＣから取得されて表示されると共に、表示態様情報テーブルから、表示画像である識別ＩＤ１の表示倍率データ（１．０）と、当該識別ＩＤ１に関連付けられた識別ＩＤを有する文書画像、表２に示す例では、表示画像と同じ識別ＩＤを有する識別ＩＤ１の表示倍率データ（０．７）、（１．４）、（２．０）が取得され、各表示倍率データに基づいてアイコンが生成され、生成されたアイコンが識別ＩＤ１の倍率（１．０）の文書画像と共に表示されている。
【００４７】
図２に示す例では、４つの記号「Ａ」を用いてアイコンを生成、表示しており、倍率が大きくなるにつれて記号「Ａ」が大きくなるよう構成されている。そして、表示中である識別ＩＤ１の倍率（１．０）の文書画像を示す記号「Ａ」の下には、アンダーバーが付され、ユーザーが当該マークを視認して現在表示中の文書画像の表示倍率を容易に理解できるよう構成されている。
【００４８】
このとき、倍率（２．０）の文書画像を示す記号「Ａ」の大きさは、倍率（１．０）の文書画像を示す記号「Ａ」の大きさの２倍となるようにするなど、記号「Ａ」の大きさがそのまま表示倍率の大きさを表わすよう構成することもできる。
【００４９】
なお、アイコンは、表示部１０６の何れの場所に表示してもよいが、例えば、図２に示すように、表示部１０６の左下隅など、表示中の文書画像の邪魔にならない位置に表示することが好ましい。
【００５０】
また、表示すべき文書画像が表示部１０６に表示されるタイミングで同時にアイコンを表示することが好ましい。表示部１０６の表示制御に要する電力（消費電力）を最小限に抑制することができるからである。特に、表示部１０６が電源を切断しても表示を維持することができる電気泳動表示による表示手法である場合には、表示部１０６へ所望の文書画像を表示した後は、アイコンの表示制御時以外には、表示部１０６の電源を切断しておくことができるため特に有用である。
【００５１】
また、ＣＰＵ１０１をタイマー手段として機能させ、予め設定された所定時間（例えば、数秒）アイコンを表示した後、アイコン表示を終了するよう構成してもよい。ユーザーの文書画像の閲覧の邪魔にならないようユーザーがアイコンを確認できる所定時間だけアイコンを表示する趣旨である。なお、当該所定時間は、ユーザーが適宜設定変更できるよう構成してもよい。例えば、操作キー１０５を操作してアイコンの表示時間（所定時間）を設定し、ＲＡＭ１０４等に記憶させておき、ＣＰＵ１０１がＲＡＭ１０４等に記憶した所定時間に基づいて制御するよう構成すればよい。
【００５２】
図３は、アイコンの他の例である。なお、図３（Ａ）〜（Ｇ）に示す何れのアイコンも、表２に示す表示態様情報テーブルを参照して生成されたものである。
【００５３】
図３（Ａ）は、表示部１０６に識別ＩＤ１の倍率（２．０）の文書画像が表示されるときに共に表示されるアイコンの一例である。当該アイコンは、表示中である識別ＩＤ１の表示倍率データ（２．０）と、関連する文書画像、一例として、同じ識別ＩＤを有する識別ＩＤ１の表示倍率データ（０．７）、（１．０）、（１．４）に基づいて生成される。
【００５４】
図３（Ｂ）は、表示部１０６に識別ＩＤ２の倍率（１．４）の文書画像が表示されるときに共に表示されるアイコンの一例である。当該アイコンは、表示中である識別ＩＤ２の表示倍率データ（１．４）と、関連する文書画像、一例として、同じ識別ＩＤを有する識別ＩＤ２の表示倍率データ（１．０）に基づいて生成される。
【００５５】
図３（Ｃ）は、識別ＩＤ２の倍率（１．４）の文書画像を表示中に表示されるアイコンの他の例である。
【００５６】
図３（Ｂ）では、表示態様情報テーブルに倍率データが存在しない倍率（０．７）と倍率（２．０）については記号「Ａ」を非表示としてアイコンを生成したが、図３（Ｃ）に示すように、表示態様情報テーブルに存在しない倍率の記号「Ａ」を半透明表示とするよう構成してもよい。この場合、「０．７倍、１．０倍、１．４倍、２．０倍が基本倍率である」旨の情報を予めＲＡＭ１０４等に記憶させておき、ＣＰＵ１０１が、表示態様情報を取得した際に当該基本倍率と照合して、基本倍率のうち表示態様情報テーブルに存在しない倍率の記号「Ａ」を半透明表示とするよう構成すればよい。
【００５７】
図３（Ｄ）は、表示部１０６に識別ＩＤ３の倍率（１．０）の文書画像が表示されるときに共に表示されるアイコンの一例である。当該アイコンは、表示中である識別ＩＤ３の表示倍率データ（１．０）と、関連する文書画像、一例として、同じ識別ＩＤを有する識別ＩＤ３の表示倍率データ（０．７）に基づいて生成される。また、上記基本倍率のうち表示態様情報テーブルに倍率データが存在しない倍率（１．４）と倍率（２．０）については記号「Ａ」を半透明表示とした。
【００５８】
なお、図３（Ｃ）、（Ｄ）は、表示態様情報テーブルに倍率データが存在しない倍率の記号「Ａ」を半透明表示としたが、斜体表示としたり、或いは記号Ａの書体を倍率データが存在する倍率の記号「Ａ」と異なる書体にて表示してもよい。
【００５９】
図３（Ｅ）は、表示部１０６に識別ＩＤ１の倍率（１．０）の文書画像が表示されるときに共に表示されるアイコンの他の例である。図２では、表示中である識別ＩＤ１の倍率（１．０）を示す記号「Ａ」の下に、アンダーバーを付して、ユーザーが現在表示中の文書画像の表示倍率を容易に識別できるよう構成したが、図３（Ｅ）に示すように、表示中である識別ＩＤ１の倍率（１．０）を非表示として表示してもよい。また、図３（Ｅ）のように、表示中である識別ＩＤ１の倍率（１．０）をスペースを空けて表示する構成のほか、図３（Ｆ）に示すように、表示中である識別ＩＤ１の倍率（１．０）の倍率データは取得せず、関連する文書画像の倍率データのみを取得して、関連する文書画像の表示倍率のみを示すようなアイコンを生成し表示してもよい。
【００６０】
図３（Ｇ）は、表示部１０６に識別ＩＤ１の倍率（１．０）の文書画像が表示されるときに共に表示されるアイコンの他の例である。図３（Ａ）〜（Ｆ）では、記号「Ａ」の大きさによって倍率の大きさを把握したが、これに加えて、各記号「Ａ」の下に倍率情報として倍率を示す数値「０．７」、「１．０」、「１．４」、「２．０」を表示してもよい。ユーザーが表示可能である倍率や表示中の倍率を定量的に把握することができる。
【００６１】
次に、図４及び図５のフローチャートを参照して、携帯型表示装置１等の動作について説明する。
【００６２】
図４及び図５は、携帯型表示装置１のＣＰＵ１０１において実行される処理の動作を示すフローチャートであり、ユーザーによる電源キー１０５ｆの操作により携帯型表示装置１の電源がオンとされたのち、メモリカードＩ／Ｆ１１０がメモリカードＭＣに記憶された画像情報の付加情報（識別ＩＤ及び表示倍率データ）を読み出し、ＣＰＵ１０１がＲＡＭ１０４に表示態様情報テーブルを作成した際に開始される。
【００６３】
先ず、ＣＰＵ１０１は、ユーザーが操作キー１０５を操作することによって表示部１０６に表示する文書画像が選択されたか否かを判定し（ステップＳ１０）、文書画像が選択されると（ステップＳ１０：Ｙｅｓ）、ＣＰＵ１０１は、ＲＡＭ１０４の表示態様情報テーブルを参照して、選択された文書画像の識別ＩＤに基づいて、アイコンを生成する（ステップＳ１１）。生成したアイコンは、ＣＰＵ１０１によりＲＡＭ１０４の一部に設けられるビデオメモリ上にグラフィックデータとして記憶される。
【００６４】
そして、ＣＰＵ１０１は、選択された文書画像の標準倍率の文書画像と、ＲＡＭ１０４から取得したグラフィックデータに基づくアイコンを重ね合わせて同時に表示部１０６に表示する（ステップＳ１２）。
【００６５】
ここで、標準倍率とは、携帯型表示装置１の電源がオンとされた後に、最初に文書画像を表示する際の表示倍率である。例えば、標準倍率をＲＡＭ１０４等に予め記憶しておき、ＣＰＵ１０１が、メモリカードＭＣに記憶された文書画像の画像情報のうち、選択された文書画像の識別ＩＤを有する文書画像の中から、ＲＡＭ１０４等に記憶された標準倍率の文書画像の画像情報を取得して表示部１０６に表示するよう構成すればよい。
【００６６】
次いで、ＣＰＵ１０１は、ユーザーが拡大キー１０５ｂを操作することによって拡大指示がされたか否かを判定し（ステップＳ１３）、拡大指示がされていない場合（ステップＳ１３：Ｎｏ）には、ステップＳ１６に移行する。
【００６７】
一方、拡大指示がされた場合（ステップＳ１３：Ｙｅｓ）には、メモリカードＭＣに記憶された文書画像のうち、表示中の文書画像と同一の識別ＩＤを有する文書画像であって、表示部１０６に表示中の文書画像の倍率の次に大きい倍率の文書画像を選択する（ステップＳ１４）。
【００６８】
なお、メモリカードＭＣに、表示中の文書画像（例えば、１．０倍）と同一の識別ＩＤの文書画像として２．０倍の文書画像の画像情報のみが記憶されている場合に、基本倍率（例えば、０．７倍、１．０倍、１．４倍、２．０倍）を定めている場合には、２回拡大キー１０５ｂを操作したときに、２．０倍の文書画像が選択されるよう構成してもよい。
【００６９】
続いて、ＣＰＵ１０１は、メモリカードＭＣに記憶された文書画像の画像情報から、ステップＳ１４にて選択された文書画像の画像情報を取得して表示部１０６に表示し、同時に、アイコンを更新して表示部１０６に表示する（ステップＳ１５）。アイコンの更新とは、例えば、表示する文書画像の倍率が１．０倍から１．４倍へと変更された場合には、倍率１．０倍を示す記号「Ａ」に付したアンダーバーを削除して、倍率１．４倍を示す記号「Ａ」にアンダーバーを付すように更新することである。
【００７０】
続いて、ＣＰＵ１０１は、ユーザーが縮小キー１０５ｃを操作することによって縮小指示がされたか否かを判定し（ステップＳ１６）、縮小指示がされていない場合（ステップＳ１６：Ｎｏ）には、図５のステップＳ２０に移行する。
【００７１】
一方、縮小指示がされた場合（ステップＳ１６：Ｙｅｓ）には、メモリカードＭＣに記憶された文書画像のうち、表示中の文書画像と同一の識別ＩＤを有する文書画像であって、表示部１０６に表示中の文書画像の倍率の次に小さい倍率の文書画像を選択する（ステップＳ１７）。
【００７２】
そして、ＣＰＵ１０１は、メモリカードＭＣに記憶された文書画像の画像情報から、ステップＳ１７にて選択された文書画像の画像情報を取得して表示部１０６に表示し、同時に、アイコンを更新して表示部１０６に表示する（ステップＳ１８）。アイコンの更新は、例えば、表示する文書画像の倍率が１．０倍から０．７倍へと変更された場合には、倍率１．０倍を示す記号「Ａ」に付したアンダーバーを削除して、倍率０．７倍を示す記号「Ａ」にアンダーバーを付すよう更新する。
【００７３】
なお、ステップＳ１０の判定において、文書画像が選択されていない場合には、電源がオフとされたか否かを判定し（ステップＳ１９）、電源がオフとされた場合（ステップＳ１９：Ｙｅｓ）には処理を終了し、電源がオフとされていない場合（ステップＳ１９：Ｎｏ）には、ステップＳ１０に戻り、電源がオフとされるまでステップＳ１０の判定処理を繰り返し行なう。
【００７４】
次に、図５のステップＳ２０移行の処理について説明する。
【００７５】
ＣＰＵ１０１は、ユーザーが操作キー１０５を操作することによって標準倍率での表示指示がされたか否かを判定し（ステップＳ２０）、標準倍率での表示指示がされた場合（ステップＳ２０：Ｙｅｓ）には、現在表示部１０６に標準倍率以外の文書画像を表示しているか否かを判定する（ステップＳ２１）。
【００７６】
ステップＳ２０の判定の結果、標準倍率での表示指示がされていない場合（ステップＳ２０：Ｎｏ）、及び、ステップＳ２１の判定の結果、標準倍率以外の文書画像を表示していない場合（言い換えれば、標準倍率の文書画像を表示している場合）には（ステップＳ２１：Ｎｏ）、ステップＳ２３に移行する。
【００７７】
一方、ステップＳ２１の判定の結果、標準倍率以外の文書画像を表示している場合（ステップＳ２１：Ｙｅｓ）には、メモリカードＭＣに記憶された文書画像のうち、表示中の文書画像と同一の識別ＩＤを有する文書画像であって、標準倍率の文書画像を選択する。
【００７８】
そして、ＣＰＵ１０１は、メモリカードＭＣに記憶された文書画像の画像情報から、ステップＳ２２にて選択された文書画像の画像情報を取得して表示部１０６に表示し、同時に、アイコンを更新して表示部１０６に表示する（ステップＳ２２）。アイコンの更新は、例えば、表示する文書画像の倍率が２．０倍から標準倍率へと変更された場合には、倍率２．０倍を示す記号「Ａ」に付したアンダーバーを削除して、標準倍率（例えば、１．０倍）を示す記号「Ａ」にアンダーバーを付すよう更新する。
【００７９】
続いて、ＣＰＵ１０１は、ユーザーが操作キー１０５を操作することによって次ページの表示指示がされたか否かを判定し（ステップＳ２３）、次ページの表示指示がされていない場合（ステップＳ２３：Ｎｏ）には、ステップＳ２６に移行し、次ページの表示指示がされた場合（ステップＳ２３：Ｙｅｓ）には、現在表示部１０６に表示中の文書画像（現在表示ページ）の表示倍率をＲＡＭ１０４等に一時的に記憶する（ステップＳ２４）。
【００８０】
次いで、ＣＰＵ１０１は、ＲＡＭ１０４の表示態様情報テーブルを参照して、表示指示された次ページの文書画像の識別ＩＤに基づいて、アイコンを生成する（ステップＳ２５）。
【００８１】
そして、ＣＰＵ１０１は、メモリカードＭＣに記憶された文書画像の画像情報のうち、表示指示された次ページの文書画像の識別ＩＤが付与された文書画像であって、ステップＳ２４にてＲＡＭ１０４等に一時的に記憶させた表示倍率の文書画像の画像情報を取得して、生成したアイコンと共に表示部１０６に表示する（ステップＳ２６）。
【００８２】
そして、ＣＰＵ１０１は、電源がオフとされたか否かを判定し（ステップＳ２７）、電源がオフとされた場合（ステップＳ２７：Ｙｅｓ）には処理を終了し、電源がオフとされていない場合（ステップＳ２７：Ｎｏ）には、図４のステップＳ１３に戻り、電源がオフとされるまでステップＳ１３〜ステップＳ２７の処理を繰り返し行なう。
【００８３】
以上説明したように、本実施形態による携帯型表示装置１によれば、文書画像を表示中に、当該表示中の文書画像と関連する識別ＩＤ（例えば、同一の識別ＩＤ）が付与された文書画像の表示倍率データに基づいてアイコンを生成し、生成したアイコンを表示画像と共に表示するので、ユーザーに対して、表示部１０６に表示可能な関連する文書画像の表示倍率をわかりやすく提示することができる。
【００８４】
更に、上記実施形態では、表示中の文書画像の表示倍率データと、表示中の文書画像に関連する文書画像の表示倍率データの双方に基づいてアイコンを生成するので、表示可能な関連する文書画像の表示倍率について、表示中の文書画像の表示倍率との関連性を示すことができ、よりわかりやすくユーザーに提示することができる。
【００８５】
更に、上述したステップＳ１０、Ｓ１３、Ｓ１６、Ｓ２０、Ｓ２３に記載したように、表示すべき文書画像の選択指示を受け付けたか否かを判定し、選択指示を受け付けた場合には、メモリカードＭＣから表示すべき文書画像の画像情報を取得して表示部１０６に表示し、同一タイミングでアイコンを表示するので、表示部１０６の表示制御に要する電力（消費電力）を最小限に抑制することができる。
【００８６】
また、ステップＳ２３に記載したように、文書画像を表示中に、次ページへの表示指示がされた場合には、表示中の文書画像（現在ページ）の表示倍率を、ＲＡＭ１０４等に一時記憶させ、メモリカードＭＣから次ページの文書画像の画像情報を取得する際に、ＲＡＭ１０４等に記憶させた表示倍率の文書画像の画像情報を取得し、表示部１０６に表示するので、表示すべき画像が関連付けされていない画像（異なる識別ＩＤが付与された画像）の表示指示がされた場合でも、常に表示倍率１．０倍にて表示するなど、同一表示態様で表示することができる。
【００８７】
なお、本実施形態では、表示倍率データを表示態様情報の一例として説明したが、カラー画像とモノクロ画像について、同一識別ＩＤを付与して関連付けすることで、「カラー」と「モノクロ」を表示態様情報とすることもできる。
【００８８】
さらに、画像が写真である場合などには、セピア画像、カラー画像、モノクロ画像、その他の加工処理が施された加工仕様の画像等を関連付けして同一識別ＩＤを付与し、これら「セピア」、「カラー」、「モノクロ」、「その他の加工処理仕様」を表示態様情報としてもよい。
【００８９】
さらに、画像が商品画像である場合には、写真のみ掲載画像、写真及び商品説明付き画像、写真及び商品説明及び価格付き画像を関連付けして同一識別ＩＤを付与し、「写真のみ掲載」、「写真及び商品説明付き」、「写真及び商品説明及び価格付き」を表示態様情報としてもよい。
【００９０】
また、表示部１０６が、それぞれ独立して制御することができる複数の分割表示モニタにより構成されている場合には、アイコンを表示することができる最小の数の分割表示モニタに当該アイコンを表示することが好ましい。
【００９１】
図６は、表示部１０６を分割表示モニタ１０６ａ、１０６ｂ、１０６ｃ、・・・１０６ｉにて構成した場合の説明図である。
【００９２】
図６中、一点鎖線にて示す分割表示モニタ１０６ａ〜１０６ｉは、それぞれ独立して制御することができ、例えば、分割表示モニタ１０６ａ、１０６ｂのみ通電させ、その他の分割表示モニタ１０６ｃ〜１０６ｉへの通電を遮断したり、分割表示モニタ１０６ａ〜１０６ｉのうち、任意の分割表示モニタの表示のみを制御して表示更新処理を行ったりすることができるようになっている。
【００９３】
このように、表示部１０６がそれぞれ独立して制御することができる複数の分割表示モニタ１０６ｃ〜１０６ｉによって構成されている場合に、アイコンの大きさが１つの分割表示モニタの大きさ以下である場合には、アイコンを１つの分割表示モニタ内に表示させることが好ましい。図６に示す例では、アイコンを分割表示モニタ１０６ｇ内に表示している。
【００９４】
また、アイコンの大きさが１つの分割表示モニタの大きさよりも大きい場合には、アイコンを表示することができる最小の数の分割表示モニタに表示することが好ましい。
【００９５】
このように、表示部１０６がそれぞれ独立して制御することができる複数の分割表示モニタ１０６ｃ〜１０６ｉによって構成されている場合に、アイコンを表示することができる最小の数の分割表示モニタに表示すれば、アイコンを所定時間経過後に表示を終了させるなど、アイコンの表示制御を行う場合に、表示制御すべき分割表示モニタの数を最小限に留め、消費電力を抑制することができる。
【００９６】
この構成は、表示部１０６が電源を切断しても表示を維持することができる電気泳動表示による表示手法である場合には、アイコンの表示制御には当該アイコンが表示された分割表示モニタのみ表示制御を行ない、アイコンが表示されていない他の分割表示モニタは、表示画像の表示後は、電源を切断しておくことができるため特に有用である。
【００９７】
なお、上述した実施形態では、関連する文書画像には同一の識別ＩＤを付与したが、これに限らず、例えば、文書画像毎にそれぞれ異なる識別ＩＤを付与し、文書画像のうち、関連する文書画像の識別ＩＤ同士を予め関連付けておき、表示する文書画像の識別ＩＤに関連付けられた（対応する）識別ＩＤを有する文書画像の表示倍率データに基づいて、表示態様を示すマークを生成してもよい。
【００９８】
例えば、文書画像の内容が同一（内容Ａ）である表示倍率が０．７倍、１．０倍、１．４倍、２．０倍の４つの文書画像には、末尾の３桁が「０００」である８桁の異なる識別ＩＤをそれぞれ付与し、或いは、文書画像の内容が同一（内容Ｂ）である表示倍率が１．０倍、１．４倍、２．０倍の３つの文書画像の夫々に末尾の３桁が「１１１」である８桁の異なる識別ＩＤをそれぞれ付与するよう構成する。そして、表示する文書画像の識別ＩＤと末尾３桁が同一である識別ＩＤの表示倍率データに基づいて、表示態様を示すマークを生成するよう構成すればよい。
【００９９】
また、上述した実施形態では、表示部１０６に文書画像を表示する際に、当該表示する文書画像の識別ＩＤに基づいて、ＲＡＭ１０４に記憶した表示態様情報テーブルを参照してアイコンを生成し、生成したアイコンを表示させるよう構成したが、これに限らず、例えば、ＣＰＵ１０１が、表示態様情報テーブルに基づいて生成したアイコンを、表３に示すように、アイコングラフィックデータとして識別ＩＤと対応付けてＲＡＭ１０４等に予め保存しておいてもよい。この場合、表示部１０６に文書画像を表示する際に、表示する文書画像の識別ＩＤに基づいて、対応するアイコングラフィックデータをＲＡＭ１０４等から取得し、取得したアイコングラフィックデータに基づいてアイコンを表示するよう構成すればよい。
【０１００】
【表３】
2010182256.tif 000005
なお、上述した実施形態においては、メモリカードＭＣを記憶手段として機能させ複数の画像を記憶させたが、これに限らず、ＲＡＭ１０４、ＲＯＭ１０２等を記憶手段として機能させてもよい。
【０１０１】
また、上述した実施形態においては、ＲＡＭ１０４をマーク画像データ記憶手段、表示態様情報記憶手段及び一時記憶手段として機能させたが、これに限らず、メモリカードＭＣやＲＯＭ１０２等をマーク画像データ記憶手段、表示態様情報記憶手段及び一時記憶手段として機能させてもよい。
【符号の説明】
【０１０２】
１  携帯型表示装置
１０１  ＣＰＵ
１０２  ＲＯＭ
１０３  フラッシュＲＯＭ
１０４  ＲＡＭ
１０５  操作キー
１０６  表示部
１０７  表示コントローラ
１０８  バッテリー
１０９  充電コントローラ
１１０  メモリカードＩ／Ｆ
１１１  通信Ｉ／Ｆ
ＭＣ  メモリカード
【図１】
2010182256.tif 000006
【図２】
2010182256.tif 000007
【図４】
2010182256.tif 000008
【図５】
2010182256.tif 000009
【図６】
2010182256.tif 000010
【図３】
2010182256.tif 000011